(57)【要約】      （修正有）【課題】好みの遠景や近景の大小様々な絵素材を象徴的イメージとして自由に組み合わせて風景の創作する機会として、山の斜面に建ち並ぶ街を美しい印象的景色を模擬した創作表現が容易に実現できる台座の提供を行う。【解決手段】支柱体２２と、支柱体２２の背面に接続固定された補強体２０と、絵素材を支持するための支持溝１１を有し支柱体に着脱自在に取り付けられた複数の支持体１０と、支柱体２２に固定され、複数の支持体１０をそれぞれ案内するためのガイド構造と、支持体１０の位置を保持するための保持具２７とを備える。ガイド構造は、支持体１０を案内するための複数のガイド部材４８を含む。複数の支持体１０のそれぞれは、ガイド部材４８の延伸方向に沿って案内されて、所定の位置で保持具２７により保持されており、ガイド部材４８は、ガイド部材が延伸する方向と交差する方向にアレイ状に配列されている。【選択図】図１
0003218300.tif 000002
【実用新案登録請求の範囲】
【請求項１】
第１の方向に延伸する支柱体と、
前記支柱体の背面に接続固定された補強体と、
絵素材を支持するための支持溝を有し、前記第１の方向に交差する第２の方向に延伸すると共に、前記支柱体に着脱自在に取り付けられた複数の支持体と、
前記支柱体に固定され、前記複数の支持体をそれぞれ案内するためのガイド構造と、
前記支持体の位置を保持するための保持具と、を備え、
前記ガイド構造は、前記第１の方向、又は前記第１の方向及び前記第２の方向と交差する第３の方向に延伸すると共に、前記支持体を案内するための複数のガイド部材を含み、
前記複数の支持体のそれぞれは、前記ガイド部材の延伸方向に沿って案内されて、所定の位置で前記保持具により保持されており、
前記ガイド部材は、前記ガイド部材が延伸する方向と交差する方向にアレイ状に配列されていることを特徴とする絵素材配置台座。
【請求項２】
前記支柱体または前記補強体の少なくともいずれか一方には、光を取り入れるための貫通孔又は透明部材からなる開口部と、光を反射するための反射体とを備える請求項１に記載の絵素材配置台座。
【請求項３】
前記支柱体および前記補強体は、板状部材から成る請求項１又は請求項２に記載の絵素材配置台座。
【請求項４】
前記支持体の前記支持溝に支持された絵素材の支持を補助するための補助部材をさらに備えたことを特徴とする請求項１から請求項３のいずれか1項に記載の絵素材配置台座。
【考案の詳細な説明】
【技術分野】
【０００１】
本考案は、絵素材配置台座に関する。
【背景技術】
【０００２】
特許文献１には立体型グリーティングカード用保護ケースが開示されている。特許文献は記載の立体型グリーティングカード用保護ケースには、複数のパーツ絵片を立体的に配置およびパーツ絵片の変更を可能とした保護ケースに関することが記載されている。
【先行技術文献】
【特許文献】
【０００３】
【特許文献１】特開２０１３‐４８９１６号  公報
【考案の概要】
【考案が解決しようとする課題】
【０００４】
しかし、前記立体型グリーティングカード用保護ケースにおいては、写真またはイラストを切取った絵素材を直接配置する際に、スペーサーとファスナーを個々に設けなくてはならず手間がかかる。
【０００５】
また街並み等の風景を表現する際、絵素材のレイアウト設計に関する遠近レイヤと各絵素材やその位置決め等の選択肢が多く、一般者を創作者とする場合、全構図を考えながら風景を創作することは時間的に負担が大きい。
【０００６】
さらには、絵素材の前面に直接絵素材を取付けて立体的な奥行きを形成しているため、奥方の絵素材のみを変更しようとしても絵素材の上に貼付されため絵素材の再配置が必要となり、全体の位置関係を目視し再調整する時間を要してしまう。
【０００７】
さらには風景作品を鑑賞する際に、絵素材の前面に直接絵素材を取付けて立体的な奥行きを形成しているため、奥の絵素材が影を生成し、観光地等に見られる夜間の下部から各絵素材に光をあてライトアップされた街並みを表現することが難しい。
【０００８】
本考案は上記の如き従来の問題と実状に鑑みてなされたもので、例えば地元の風景を愛する住民が、個々の好みの遠景や近景の大小様々な絵素材を象徴的なイメージとして自由に組み合わせた風景画を創作するワークショップにおいて、世界遺産等で多く見られる山の斜面に建ち並ぶ街のような美しい立体的景色として容易に創作表現と鑑賞ができるような台座を提供することを課題とする。
【課題を解決するための手段】
【０００９】
本考案の一実施形態に係る絵素材配置台座は、第１の方向に延伸する支柱体と、前記支柱体の背面に接続固定された補強体と、絵素材を支持するための支持溝を有し、前記第１の方向に交差する第２の方向に延伸すると共に、前記支柱体に着脱自在に取り付けられた複数の支持体と、前記支柱体に固定され、前記複数の支持体をそれぞれ案内するためのガイド構造と、前記支持体の位置を保持するための保持具と、を備える。また、前記ガイド構造は、前記第１の方向、又は前記第１の方向及び前記第２の方向と交差する第３の方向に延伸すると共に、前記支持体を案内するための複数のガイド部材を含み、前記複数の支持体のそれぞれは、前記ガイド部材の延伸方向に沿って案内されて、所定の位置で前記保持具により保持されており、前記ガイド部材は、前記ガイド部材が延伸する方向と交差する方向にアレイ状に配列されていることを特徴とする。
【００１０】
また、本考案に係る絵素材配置台座では、前記支柱体または前記補強体の少なくともいずれか一方には、光を取り入れるための貫通孔又は透明部材からなる開口部と、光を反射するための反射体とを備えていてもよい。
【００１１】
また、本考案に係る絵素材配置台座において、前記支柱体および前記補強体は、板状部材から成っていてもよい。
【００１２】
また、本考案に係る絵素材配置台座では、前記支持体の前記支持溝に支持された絵素材の支持を補助するための補助部材をさらに備えてもよい。  
【考案の効果】
【００１３】
本考案の絵素材配置台座によれば、一般者の老若男女が容易に好みの印象的な景色を美しい斜面に配備された景色として創作することができ、事前に用意した絵素材から好みの絵素材を自由に選択し短時間で完成することが可能となる。
【図面の簡単な説明】
【００１４】
【図１】図１は、本考案に係る実施形態１の絵素材配置台座を説明する図である。
【図２】図２は、本考案に係る実施形態２の絵素材配置台座を説明する図である。
【図３】図３は、絵素材配置台座を説明するために基軸面を定めた図である。
【図４】図４は、図１（Ｃ）部および図２（Ｃ）部に示すガイド部材と保持具の別の実施形態３を説明する図である。（ ポール式）
【図５】図５は、図１（Ｃ）部 および図２（Ｃ）部に示すガイド部材と保持具の別の実施形態４を説明する図である。（ マグネット式）
【図６】図６は、図２に示す絵素材配置台座を一例として、内部に反射体を備えた実施形態５を説明する図である。
【図７】図７は、図２に示す絵素材配置台座を一例として、支柱体および補強体を一体に形成した一体型箱形状の実施形態６を示す図である。
【図８】図８は、図１および図２に示す支持溝において、絵素材の支持を補助する補助部材の実施形態７を説明する図である。
【図９】図９は、図６に関する一実施例を示す図である。
【図１０】図１０は、絵素材配置台座にある支持体と支持溝の形状に関する一実施例を示す図である。
【図１１】図１１は、絵素材配置台座にある各支持体に備える支持溝の数に関する一実施例を示す図である。
【図１２】図１２は、絵素材を支持体に貼付する一実施例を示す図である。
【考案を実施するための形態】
【００１５】
（実施形態１）
図１は、本考案の絵素材配置台座１を説明する実施形態の図である。また、図１の（Ａ）部は、絵素材配置台座１ の構成概要を説明する図である。また、図１の（Ｂ）部は、支持体１０の支持溝１１について説明する図である。また、図１の（Ｃ）部 は、支持体１０の段差並列配置と移動方向を決めるガイド部材４８と、支持体１０を保持する保持具２７について説明する図である。なお、図３ に、本実施形態における、絵素材配置台座と機軸面との関係を示す。他の実施形態においても、特に記載がない限り、絵素材配置台座と機軸面とは、同様の関係を有する。まず、図１の（Ａ）部 につい説明する。この図は絵素材配置台座１の構成概要を説明するものである。絵素材配置台座１には、右側面と左側面に支柱体２２があって、その２つの支柱体２２の間には複数の支持体１０が配置されている。さらに、支柱体２２の底面と背面には剛性を高めるための補強体２０が設けられており、自然立位構造となっている。あらかじめ切取られた複数の遠景および近景の様々な絵素材５があって、創作者３０はその中から好みのものを選択し支持体１０に配置する。次に、図１の（Ｂ）部 につい説明する。この図は支持体１０の支持溝１１について説明するものである。支持体１０には支持溝１１があって、その支持溝１１の開口部に向かって絵素材挿入方向３３で挿し込むことで容易に絵素材５を支持体１０の上端に並べ自由配置することができる。支持溝１１a（断面）において、支持溝幅３６は、約０．２ｍｍから３．０ｍｍの範囲とすることができる。また、支持溝深さ３８は、約３．０ｍｍから８．０ｍｍの範囲とすることができる。別の実施形態の支持溝１１ｂ（断面）では、更に容易に挿し込みしやすい形状として支持溝入口幅４０ が支持溝幅３ ６より広い構造として、例えば支持溝入口幅４０は３．０ｍｍから５．０ｍｍの範囲として徐々に広がる扇型断面形状を有することができる。次に、図１の（Ｃ）部 につい説明する。この図は支持体１０の段差並列配置と移動方向を決めるガイド部材４８と、支持体１０を保持する保持具２７について説明するものである。各支持体１０の移動を第２の軸方向８１（Z軸方向）に規定する一方式であって、ガイド部材４８であるレールと支持体１０の密着部４９には保持具２７が設けられている。ガイド部材４８は、ガイド部材４８が延伸する方向と交差する方向にアレイ状に配列されている。つまり、本実施形態では、ガイド部材４８が第２の軸方向８１（Ｚ軸方向）に延伸し、ガイド部材４８は、第１の軸方向８０（Ｙ軸方向）に、一次元のアレイ状に配列されている。保持具２７は弾性部材４６を挟み込み摩擦抵抗を高めることで、支持体１０の位置を保持することができる。創作者３０は各支持体１０を第２の軸方向８１（Z軸方向）に移動と保持を繰り返し隣接する支持体の段差幅４２を決定する。結果、絵素材が複数配置された各支持体１０を正面から鑑賞すれば、あたかも斜面に立ち並ぶ街並みのように見える。各段の段差幅４２を調整することによって、奥行感のある風景作品の表現が可能となる。
【００１６】
（実施形態２）
図２は、本考案の絵素材配置台座１を説明する別の実施形態の図である。また、図２の（Ａ）部 は、絵素材配置台座１の構成概要を説明する図である。また、図２の（Ｂ）部 は、支持体１０の支持溝１１について説明する図である。また、図２の（Ｃ）部 は、支持体１１の段差並列配置と移動方向を決めるガイド部材４８と、支持体１１を保持する保持具２７について説明する図である。図２の（Ａ）部 につい説明する。この図は絵素材配置台座１の構成概要を説明するものである。絵素材配置台座１には、右側面と左側面に支柱体２２が配置されており、その２つの支柱体２２の間には複数の支持体１０が設けられている。さらに、底面と背面には剛性を高めるための補強体２０が設けられており、自然立位構造となっている。あらかじめ切取られた複数の遠景および近景の様々な絵素材５があって、創作者３０はその中から好みのものを選択し支持体１０に配置する。図２の（Ｂ）部につい説明する。この図は支持体１０の支持溝１１について説明するものである。支持体１０には支持溝１１が設けられており、その支持溝１１の開口部に向かって絵素材挿入方向３３で挿し込むことで容易に絵素材５を支持体１０の上端に並べ自由配置することができる。支持溝１１a（断面）では支持溝幅３６は、約０．２ｍｍから３．０ｍｍの範囲とすることができる。支持溝深さ３８は約３．０ｍｍから８．０ ｍｍの範囲とすることができる。別の実施形態の支持溝１１ｂ（断面）では、更に容易に挿し込みしやすい形状として支持溝入口幅４０が支持溝幅３６より広い構造として、例えば支持溝入口幅４０ は約３．０ｍｍから５．０ｍｍの範囲として徐々に広がる扇型断面形状を有することができる。図２の（Ｃ）部につい説明する。この図は支持体１１の段差並列配置と移動方向を決めるガイド部材４８と、支持体１１を保持する保持具２７について説明するものである。各支持体１０を第１の軸方向８０（Y軸方向）に移動を規定する一方式であって、ガイド部材４８であるレールと支持体１０の密着部４９には保持具２７を備えており、この保持具２７では弾性部材４６を挟み込み摩擦抵抗を高めることで、支持体１０の位置を保持することができる。本実施形態では、ガイド部材４８が第１の軸方向８０（Ｙ軸方向）に延伸しており、ガイド部材４８は、第２の軸方向８１（Ｚ軸方向）に、一次元のアレイ状に配列されている。創作者３０は各支持体１０を第１の軸方向８０（Y軸方向）に移動しレールから一旦外し再び上段または下段のレールに差し替えることで隣接する支持体１０の段差幅４２を決定する。結果、絵素材が複数配置された各支持体１０を正面から鑑賞すれば、あたかも斜面に立ち並ぶ街並みのように見える。各段の段差幅４２を調整することによって、奥行感のある風景作品の表現が可能となる。
【００１７】
図３は、本考案の絵素材配置台座１を説明するために基軸面を定めた図である。絵素材配置台座１を水平面に設置して、第１の面９０を絵素材配置台座１の正面として、第２の面９１を背面として、第３の面９２を右側面として、第４の面９３を左側面として、第５の面９４を上面として、第６の面９５を底面として定め、さらに第１の軸方向８０をY軸方向として、第２の軸方向８１をZ軸方向として、第３の軸方向８２をX軸方向として定め、本定義に基づいて本考案の実施形態を説明する。
【００１８】
（実施形態３）
図４は、上記実施形態１の図１の（Ｃ）部に示すガイド部材４８と保持具２７の別の実施形態であって支持体を第２の軸方向８１（Z軸方向）に移動を規定する一方式を説明するものである。この実施形態では右側面と左側面にある各支柱体２２には複数のポールが背面から正面に向けて一列に立ち並ぶガイド部材４８を備えていて、支持体１０の両端にある貫通穴５１を方向５３で上記ポールに貫通させることで、支持体１０の第２の軸方向８１（Z軸方向）に対する移動が規定される。ガイド部材４８のポールと支持体１０の貫通穴５１との密着部４９には保持具２７が設けられており、保持具２７は弾性部材４６をポールに挟み込み摩擦抵抗を高めることで、支持体１０の位置を保持することができる。創作者３０は各支持体１０を第２の軸方向８１（Z 軸方向）に移動と保持を繰り返し隣接する支持体の段差幅４２を決定する。結果、絵素材が複数配置された各支持体１０を正面から鑑賞すれば、あたかも斜面に立ち並ぶ街並みのように見える。各段の段差幅４２を調整することによって、奥行感のある風景作品の表現が可能となる。
【００１９】
（実施形態４ ）
図５は、上記実施形態１の図１の（Ｃ）部に示すガイド部材４８と保持具２７の別の実施形態であって支持体を第２の軸方向８１（Z軸方向）に移動を規定する一方式を説明するものである。この実施形態ではマグネットの吸着する磁性を活用し、左側面の支柱体２２と背面の補強体２０に備える磁性板２３がガイド部材４８となり支持体１０を吸着させることで第２の軸方向８１（Z軸方向）に移動を規定している。また、支持体１０の左側面および背面側にある備えたマグネット２４によって、密着部４９では支持体１０を上記磁性板２３に吸着させることで、支持体１０の位置を保持できる保持具２７となる。創作者３０は各支持体１０を第２の軸方向８１（Z軸方向）に移動と保持を繰り返し隣接する支持体の段差幅４２を決定する。結果、絵素材が複数配置された各支持体１０を正面から鑑賞すれば、あたかも斜面に立ち並ぶ街並みのように見える。各段の段差幅４２を調整することによって、奥行感のある風景作品の表現が可能となる。
【００２０】
（実施形態５ ）
図６は、上記実施形態１に示す絵素材配置台座を一例として、内部に反射体６１を備えた実施形態を説明する図である。本考案の絵素材配置台座１の背面には台座内部に採光するための開口部７０を補強体２０に備える。
開口部７０は例えば貫通孔から構成される。例えば台座背面を窓際の外部光源向けて設置することで、開口部７０を介して内部に光が取り入れられる。絵素材配置台座１ の内部には底面と非反射面に対し傾斜角度が約１０度〜６０度で可変可能な反射体６１が備え付けられており、反射された光は、アクリル素材などの透過性のある材質で形成された支持体１０を用いることで通過し、各絵素材５を照らす。これにより支持体１０の上端に配置された各絵素材に影を作ることなく個々に実際のまち並みに見られるようなライトアップのように光を下方から照射でき、作品が際立って見えるようになる。また、開口部７０は透明部材から構成されても良い。例えば、透明部材は開口部７０を覆って補強体２０に張り付けて形成される。
【００２１】
（実施形態６）
図７は、上記実施形態１の絵素材配置台座１を一例として、支柱体２２および補強体２０を合わせ持った一体型の板状部材２８を示す実施形態６の図である。絵素材配置台座の支柱体２２は右側面と左側面にあって、補強体２０は背面板または底面板と上面にあって、上記支柱体２２と上記補強体は一体化し板状部材として整形されている。さらに正面にはホコリ除けの透明板６０を備え作品を保護する。これによって絵素材配置台座１上に完成した作品を、そのまま部屋等の壁面や机上に観賞用として配置および保管できる。
【００２２】
（実施形態７）
図８は、上記実施形態１から実施形態６にある支持溝１１において、絵素材５の支持する補助部材の実施形態７を説明する図である。支持体１０の支持溝１１に絵素材を挿入方向３３に挿し込み、自立保持する保持力を高める補助部材として、図８の（Ｇ）は支持溝１１の溝部に弾性部材４５ を備えた形態であり、また図８の（Ｈ）は支持溝１１の溝部に板バネ材８０を備えた形態である。
【実施例】
【００２３】
実施形態５にある開口部７０の採光部から絵素材５の間にカラーフィルムなどの偏光フィルター７１を配置しても良い（図９）。
【００２４】
実施形態１から実施形態７にある絵素材配置台座１を複数組み合わせて並列に固定配置し、大きな作品を制作する台座としても良い。
【００２５】
実施形態１から実施形態７にある絵素材配置台座１にある支持体１０上端辺および支持溝１１の形状は、任意の曲面形状があっても良い（図１０）。
【００２６】
実施形態１から実施形態７にある絵素材配置台座１にある各支持体１０は２つ以上の支持溝１１を備えても良い（図１１）。
【００２７】
実施形態１から実施形態７にある絵素材配置台座１にある各支持体１０の正面側の面に絵素材５を接着し貼付しても良い（図１２）。
【００２８】
実施形態１から実施形態７で取り扱う絵素材５は、全てまたは一部が写真および立体模型物または電子画像表示機器であっても良い。
【産業上の利用可能性】
【００２９】
ワークショップ等の創作作品は、観光のお土産として販売することも想定する。地域振興および地元絵画作家等が参加するアート産業に貢献できる。
【符号の説明】
【００３０】
数字全角
１：絵素材配置台座
５：絵素材
１０：支持体
１１、１１ａ、１１ｂ：支持溝
２０：補強体
２２：支柱体
２３：磁性体
２４：磁石
２７：保持具
２８：板状部材
３０：創作者
３３：絵素材挿入方向
３６：支持溝幅
３８：支持溝深さ
４０：支持溝入口幅
４２：段差幅
４５：補助部材（弾性部材）
４６：保持具（弾性部材）
４７：板バネ材
４８：ガイド部材
４９：ガイド密着部
５１：貫通穴
５２：ポール差込み方向
６０：透明板
６１：反射体
７０：開口部
７１：偏光フィルター
８０：第１の軸方向（Y軸方向）
８１：第２の軸方向（Z軸方向）
８２：第３の軸方向（X軸方向）
９０：第１の面（正面）
９１：第２の面（背面）
９２：第３の面（右側面）
９３：第４の面（左側面）
９４：第５の面（上面）
９５：第６の面（底面）
【図１】
0003218300.tif 000003
【図２】
0003218300.tif 000004
【図３】
0003218300.tif 000005
【図４】
0003218300.tif 000006
【図５】
0003218300.tif 000007
【図６】
0003218300.tif 000008
【図７】
0003218300.tif 000009
【図８】
0003218300.tif 000010
【図９】
0003218300.tif 000011
【図１０】
0003218300.tif 000012
【図１１】
0003218300.tif 000013
【図１２】
0003218300.tif 000014